(57)【特許請求の範囲】
【請求項１】
外部機器と接続される外部インターフェイス部と、前記外部インターフェイス部の両側に配設される充電用の端子とを含むコネクタであって、
前記コネクタ内の、前記外部インターフェイス部と前記充電端子との間に、前記コネクタ内の前記外部インターフェイス部を覆う保護カバ−が開閉自在に支持される蝶番の基部と嵌合する嵌合部が配設されてなることを特徴とするコネクタ。
【請求項２】
外部機器と接続される外部インターフェイス部と、前記外部インターフェイス部の両側に配設される充電用の端子とを含むコネクタであって、
前記コネクタ内の、前記外部インターフェイス部と前記充電端子との間に、前記コネクタ内の前記外部インターフェイス部を覆う保護カバ−が開閉自在に支持される蝶番のフックを係止する嵌合部が配設されてなることを特徴とするコネクタ。
【請求項３】
上側筐体と、下側筐体と、外部機器と接続される外部インターフェイス部と前記外部インターフェイス部の両側に配設される充電用の端子とを含むコネクタと、蝶番により開閉自在に支持され、前記コネクタ内の前記外部インターフェイス部を覆う保護カバーとを少なくとも有する携帯電話機の組み立て方法であって、
前記コネクタ内の、前記外部インターフェイス部と前記充電端子との間に、前記蝶番の基部と嵌合、又は前記蝶番のフックを係止する嵌合部を備え、予め前記コネクタに前記保護カバーの前記蝶番を取り付けた後、前記上側筐体と前記下側筐体と前記コネクタとを組み立てることを特徴とする携帯電話機の組み立て方法。
【発明の詳細な説明】
【０００１】
【発明の属する技術分野】
本発明は、電子機器のコネクタ及びコネクタカバ−に関し、特に、携帯電話の外部接続用コネクタ及びコネクタカバ−の構造並びに該構造を備える携帯電話機に関する。
【０００２】
【従来の技術】
近年、携帯電話などの電子機器のコネクタには、外部機器と接続するための外部インタ−フェイス部の両脇に、卓上充電器などから給電するための充電端子を有することが多い。このような構成のコネクタでは、保護カバーを装着した状態でも充電ができるように、外部インタ−フェイス部のみを覆う保護カバーが装着される。
【０００３】
この保護カバーの取り付け構造としては着脱可能な構造もあるが、着脱可能な構造では電子機器と外部機器とを接続する場合に保護カバーを紛失してしまう恐れがあるため、通常は保護カバ−が電子機器本体から外れないように、保護カバーの蝶番部を電子機器本体に固定する方法がとられている。例えば、図３（ｂ）に示すように、外部インターフェイス部６と充電端子７を備えるコネクタ４の外側の、上側筐体２と下側筐体３との間に保護カバー１０の蝶番部９を取り付け可能な機構を設けておき、蝶番部９を上側筐体２と下側筐体３とで挟み込むことによって保護カバー１０を支持していた。
【０００４】
【発明が解決しようとする課題】
しかしながら、コネクタ４の外側の上側筐体２や下側筐体３に保護カバー１０の蝶番部９を取り付ける構造とすると、保護カバ−１０はコネクタ４より広い領域を覆うことになるため、保護カバ−１０自身のサイズが大きくなってしまい、見栄えが悪く、意匠デザイン上の制約になってしまうという問題があった。また、蝶番部９のスペ−スを非効率に設けざるを得ず、携帯電話等の電子機器の小型化の支障となってしまうという問題があった。
【０００５】
また、このようなコネクタ４や保護カバー１０の構造では、コネクタ４と保護カバー１０とが別々の部品として供給されることになるため、電子機器の装置メーカで組み立てる際に、上側筐体２と下側筐体３とで蝶番部９を挟み込んで固定する工程が必要となり、作業工程が複雑になる分、携帯電話等の電子機器の低価格化の妨げになってしまうという問題もあった。
【０００６】
本発明は、上記問題点に鑑みてなされたものであって、その主たる目的は、保護カバーのサイズの縮小化と電子機器の組み立て工程の簡略化を実現することができるコネクタ及び保護カバー構造、特に、携帯電話機の外部接続用コネクタ及びコネクタカバ−構造並びに該構造を備える携帯電話機を提供することにある。
【０００７】
【問題を解決するための手段】
上記目的を達成するため、本発明のコネクタは、外部機器と接続される外部インターフェイス部と、前記外部インターフェイス部の両側に配設される充電用の端子とを含むコネクタであって、前記コネクタ内の、前記外部インターフェイス部と前記充電端子との間に、前記コネクタ内の前記外部インターフェイス部を覆う保護カバ−が開閉自在に支持される蝶番の基部と嵌合する嵌合部が配設されてなるものである。
【０００８】
また、本発明のコネクタは、外部機器と接続される外部インターフェイス部と、前記外部インターフェイス部の両側に配設される充電用の端子とを含むコネクタであって、前記コネクタ内の、前記外部インターフェイス部と前記充電端子との間に、前記コネクタ内の前記外部インターフェイス部を覆う保護カバ−が開閉自在に支持される蝶番のフックを係止する嵌合部が配設されてなるものである。
【００１２】
また、本発明の携帯電話機の組み立て方法は、上側筐体と、下側筐体と、外部機器と接続される外部インターフェイス部と前記外部インターフェイス部の両側に配設される充電用の端子とを含むコネクタと、蝶番により開閉自在に支持され、前記コネクタ内の前記外部インターフェイス部を覆う保護カバーとを少なくとも有する携帯電話機の組み立て方法であって、前記コネクタ内の、前記外部インターフェイス部と前記充電端子との間に、前記蝶番の基部と嵌合、又は前記蝶番のフックを係止する嵌合部を備え、予め前記コネクタに前記保護カバーの前記蝶番を取り付けた後、前記上側筐体と前記下側筐体と前記コネクタとを組み立てるものである。
【００１３】
このように、本発明の構造によれば、携帯電話等の電子機器で利用される外部接続用コネクタ自身に保護カバ−の蝶番部を固定する構造を設け、コネクタと保護カバ−とを一体とすることができるため、保護カバーのサイズの縮小化を図ることができ、意匠デザイン上の制約を緩和することができる。また、コネクタと保護カバーとを一体化した状態で電子機器の装置メーカに提供することができるため、電子機器の組み立て時に保護カバーの蝶番部を取り付ける工程が不要となり、実装工程を簡略化することができる。
【００１４】
【発明の実施の形態】
本発明に係る外部接続用コネクタは、その好ましい一実施の形態において、外部機器と接続される外部インターフェイス部とその両側に配設される充電用の端子とを含むコネクタ本体に、コネクタの保護カバ−を開閉自在に支持する蝶番部のＴ字型等の基部やフックと嵌合する嵌合部を備えるものであり、嵌合部を外部インターフェイス部と充電端子との間に配設することにより、保護カバーの露出面積を小さくすることができ、意匠デザイン上の制約となりにくくすると共に、予めコネクタに保護カバーを装着して装置メーカに提供することにより、部品点数を減らして装置メーカでの組立工数を削減することができる。
【００１５】
【実施例】
上記した本発明の実施の形態についてさらに詳細に説明すべく、本発明の実施例について図面を参照して説明する。
【００１６】
［実施例１］
まず、本発明の第１の実施例に係る携帯電話の外部接続用コネクタ及びコネクタカバ−構造並びに該構造を備える携帯電話機について、図１を参照して説明する。図１は、第１の実施例に係る携帯電話機のコネクタ部の構造を示す図であり、（ａ）は携帯電話下方からコネクタ部を見た平面図、（ｂ）は上面からコネクタ部を見た平面図である。なお、以下の説明では、本発明のコネクタ及びコネクタカバ−構造を携帯電話のＩ/Ｏコネクタ部に適用した場合を例として説明する。
【００１７】
図１に示すように、携帯電話１は、大きく分けて、上側筐体２及び下側筐体３と、その２つの筐体間に挟み込まれるように配置されるコネクタ４と、コネクタ４の保護を目的とするカバ−５と、保護カバー５を開閉自在に支持する蝶番部９とで構成される。また、コネクタ４には、外部機器のケーブルと接続される外部インターフェイス部６と卓上充電器などから給電するための充電端子７とを備えている。
【００１８】
従来技術において示したように、近年、携帯電話などの電子機器のコネクタ４には、外部インタ−フェイス部６の両脇に卓上充電器などから給電するための充電端子７を有することが多く、また、このコネクタ４を保護する保護カバーも着脱可能な構造とすると保護カバーを紛失してしまう恐れがあるため、保護カバーの蝶番部９を携帯電話１に固定する必要がある。
【００１９】
そこで、従来はこの蝶番部９をコネクタ４の外部の上側筐体２と下側筐体３とで挟み込んで固定し、図３（ｂ）に示すような大きな保護カバー１０でコネクタ４を保護していたが、保護カバー１０が大きくなるために意匠デザイン上の制約が生じたり、携帯電話１の組み立て時に蝶番部９を取り付ける工程が新たに必要となるという問題があった。
【００２０】
そこで、本実施例では、図１に示すように、コネクタ４内の外部インターフェイス部６と充電端子７との間に断面形状がＴ字型をした嵌合部８を設け、そこに保護カバ−５のＴ字型をした蝶番部９を嵌込む構成としている。このような構造とすることにより、予め保護カバ−５をコネクタ４に取り付けた状態で、部品メ−カから装置メ−カなどへ一括納入することも可能となる。
【００２１】
そして、携帯電話１を装置メ−カにて組み立てる際に、コネクタ４を上側筐体を２と下側筐体３にて挟み込むなどして組み立てれば、蝶番部９を中心とする回転動作にて保護カバ−５を開閉することが可能となる。
【００２２】
従って、部品メ−カにて、予めコネクタ４と保護カバ−５とをセット状態とすれば、装置メ−カ側で取り扱う部品の点数を減らし、組み立て工数を１工程削減することができ、この工数削減効果により携帯電話の低価格化を実現することができる。
【００２３】
また、保護カバ−５の蝶番部９をコネクタ４に取り付けることにより、従来の構造に比べて保護カバー５のサイズを小さくすることができ、携帯電話１の見栄えをよくすることができると共に、意匠デザイン上の制約となりにくくすることができる。
【００２４】
なお、嵌合部８及び蝶番部９の形状はＴ字型に限らず、嵌合部８に蝶番部９をはめ込んだ後、容易に取り外しができない形状であればどのような形状であってもよい。また、図１では、保護カバー５の蝶番部９をコネクタ４の側面からスライドさせて嵌合部８にはめ込む構造としているが、コネクタ４の下面から差し込む構造としたり、嵌合部８と蝶番部９に係合する凹凸を設けておき、所定の位置で蝶番部９が固定されて保護カバー５を外れにくくすることもできる。
【００２５】
［実施例２］
次に、本発明の第２の実施例に係る携帯電話の外部接続用コネクタ及びコネクタカバ−構造並びに該構造を備える携帯電話機について、図２を参照して説明する。図２は、第２の実施例に係る携帯電話の嵌合部分の構造を示す断面図であり、図１（ｂ）のＡ−Ａ線における断面図である。
【００２６】
前記した第１の実施例では、Ｔ字型の蝶番部９を嵌合部８にはめ込む構造としたが、図２に示すように、フック形状を先端に持つ蝶番部９に対し、嵌込み可能な凹部から構成される嵌合部８を設ける構造とすることもできる。このような構造とすることにより、携帯電話１の組み立て後に保護カバ−５を取付けることも可能となり、且つ、第１の実施例と同様に保護カバー５のサイズを縮小して意匠デザイン上の制約を緩和することができる。
【００２７】
なお、上記各実施例では、本発明のコネクタ及びコネクタカバー構造を携帯電話のＩ／Ｏコネクタに適した場合について示したが、本発明は上記実施例に限定されるものではなく、電子機器、特に装置サイズが小さく持ち運び可能な携帯端末機器に用いられる任意のコネクタに適用することができる。
【００２８】
【発明の効果】
以上説明したように、本発明のコネクタ及びコネクタカバー構造並びに該構造を備える携帯電話機によれば下記記載の効果を奏する。
【００２９】
本発明の第１の効果は、保護カバーのサイズの縮小化をはかることができ、意匠デザイン上の制約となりづらくすることができるということである。
【００３０】
その理由は、コネクタ内の外部インタ−フェイス部の真横に保護カバーの蝶番部を取り付け可能な嵌合部を設けることにより、コネクタ外部に蝶番部の固定機構を設ける必要がなくなるからである。
【００３１】
また、本発明の第２の効果は、装置メーカでの実装工程を削減することができ、携帯電話の低価格化を図ることができるということである。
【００３２】
その理由は、コネクタに予め保護カバーを取り付けた状態で装置メーカに提供することにより、装置メーカ側では筐体組み立て時に保護カバーの蝶番部を取り付ける作業が不要となるからである。
【００３３】
また、本発明の第３の効果は、装置メーカでの実装工程を効率化することができるということである。
【００３４】
その理由は、コネクタと保護カバ−の蝶番部の配置面積を別々に要する必要が無いからである。
【図面の簡単な説明】
【図１】本発明の第１の実施例に係る携帯電話の外部接続用コネクタ部の構造を模式的に示す平面図である。
【図２】本発明の第２の実施例に係る携帯電話の外部接続用コネクタ部の嵌合部分の構造を模式的に示す断面図である。
【図３】本発明の携帯電話の外部接続用コネクタ部の構造と従来の構造とを比較する図である。
【符号の説明】
１  携帯電話
２  上側筐体
３  下側筐体
４  コネクタ
５  保護カバー
６  外部インターフェイス
７  充電端子
８  嵌合部
９  蝶番部
１０  保護カバー（従来構造）
【図１】
0003645868.tif 000002
【図２】
0003645868.tif 000003
【図３】
0003645868.tif 000004